(57)【要約】【課題】旅行などで普段携帯しているリュックサックを水難事故に対する安全具のライフジャケット（救命胴衣）に応用すると同時に、常に身の回りに保持できることを目的とする。【解決手段】リュックサックの背面及び肩ベルトに通常装備されているクッション材の特性を生かし、そのクッション材を浮力として利用する。もともとリュックサックの形状から体に装着しやすいライフジャケットに近い形態になっている、しかし、バック本体１およびその収納物が浮力とはなりえないので、一連につなげた、背面のクッション６、肩ベルト３、背面バック２、等と分離し、その分離した連結ベルトによって一連につなげた背面のクッション６・肩ベルト３・背面バック２、等の浮力体を人体に装着することにより、ライフジャケットとして利用する。【選択図】　　　　　　　　図２
2004041392.tif 000002
【特許請求の範囲】
【請求項１】
図６及び図９に示すように、リュックサック（Ａ）の連結ベルト（１２）で一連にした肩ベルト（３）、背面クッション（６）、背面バック（２）の各クッション部に浮力材（５）を用い、それらの浮力と、図１０に示すように背面バック（２）に折りたたんで内蔵した浮き袋（７）に小型ＣＯ２ボンベ（８）とガス注入装置（９）からガス注入による浮力を合わせて、ライフジャケット（救命胴衣）としての機能を持たせたリュックサック。
【請求項２】
図７及び図８に示すように、リュックサック（Ａ）の連結ベルト（１２）で一連にした肩ベルト（３）、背面クッション（６）、背面バック（２、）およびバック底用クッション（１５）の各クッション部に浮力材（５）を用い、それらの浮力を総合して、ライフジャケット（救命胴衣）としての機能を持たせたリュックサック。
【請求項３】
連結ベルト（１２）で一連にした背面クッション（６）・肩ベルト（３）・背面バック（２）等の浮力部分をライフジャケットとして利用する場合、その背面クッション（６）の両サイドを軸に背面ポケット（６）が図４および図５の様に１８０度反対側に回し、人体全面にくるように装着固定することにより、人体前面部にその持ち合わせた浮力バランスが大きくなる様に配備すると共に、浮力とは成りえない、リュックサックのバック本体（１）を図６又は図７の様に分離可能とした事を特徴とし、ライフジャケット（救命胴衣）としての機能を持たせた請求項１および請求項２のリュックサック
【発明の詳細な説明】
【０００１】
【発明の属する技術分野】
本発明はリュックサックとライフジャケット（救命胴衣）を兼用する分野となる。
【０００２】
【従来の技術】
従来のライフジャケット（救命胴衣）およびリュックサックは、それぞれ単体で利用されているが、兼用したものは無い。しかし特開平９−１３１２２２にあるように、リュックサックの肩ベルトに、ＣＯ２ボンベからの浮力ガス供給形の浮袋が内蔵された浮袋兼用防災頭巾として利用するものは発案されている、しかし、最近のリュックサックに多く使用されているクッション材を、浮力材として利用した発案ではなく、バック本体も分離できない。
【０００３】
【発明が解決しようとする課題】
ライフジャケット（救命胴衣）は観光船などに安全上設置が義務付けられている。また、ボート釣や磯釣りにおいても着用が必要とされているが、ライフジャケット（救命胴衣）は携帯には嵩張るので、保有していても、ついつい携帯せずに水難事故にあうことが問題視されている。
【０００４】
また、大型の観光船などでは避難救助ボートや備付のライフジャケット（救命胴衣）等があるものの、水難事故でのいざという時に、それらの設置場所や保管場所にたどり着けない場合や、それらのものが事故により破損し、使えない事が想定される。よってライフジャケット（救命胴衣）を常時身近に携帯しておくことができれば、より安全性が高まる。
【０００５】
【課題を解決するための手段】
前記のように、ライフジャケット（救命胴衣）を身近に携帯できれば水難事故に対し安全性が高まる。旅行やレジャー時に携帯することが多いリュックサックに、ライフジャケット（救命胴衣）の機能を持たせれば無理なく携帯できることになる。
【０００６】
リュックサックの肩ベルト３及び背面のクッション材を浮力材５で構成する。
【０００７】
請求項１のリュックサックをライフジャケットとして利用するため、背面バック２には、十分な浮力確保と浮力バランスを人体前面に確保するために浮袋７を折りたたんで内蔵しておき、使用時に小型ＣＯ２ボンベ８より、空気を注入する。
【０００８】
請求項２のリュックサックをライフジャケットとして利用するため、また、十分な浮力確保と浮力バランスを人体前面に確保するため、背面バックには厚手の浮力を持ったクッション材を用い、バック底用クッションと繋げておく、これらは通常時は小物入れ、取外せば枕や座布団として利用できるようにしておく、また、図１２に示す様に人体装着時には、マジックテープで一体にまとめ、大きな浮力となる様にしておく。
【０００９】
請求項１および２のリュックサックは本体のバック部分とその収容物が浮力と成りえないので、連結ベルトで一連と成るクッション部の浮力部分と、分離させることが出来るように、背クッション部に取り外しが出きる留め具を用い、ファスナーと合わせて通常時は背クッション部と一体としておく。
【００１０】
【発明の実施の形態】
請求項１又は２のリュックサックをライフジャケット（救命胴衣）として使用する場合、リュックサックのバック本体１は収納物が浮力材と成りえないので、連結ベルトで一連にして浮力を確保した背面クッション部６・肩ベルト３、背面バック等と分離させる。
【００１１】
請求項１のリュックサックの場合、バック本体１を分離した一連の背面クッション部６・肩ベルト３・背面バック２の背面バック２に内蔵した浮袋７に小型ＣＯ２ボンベ８よりガスを注入し、背面クッション６の両サイドを軸に背面バックが図４のように人体前面に来るように１８０度回転させ装着させる。
【００１２】
請求項２のリュックサックの場合、バック本体１を分離した一連の背面クッション部６・肩ベルト３・背面バック２、バック底用クッションの背面クッション６の両サイドを軸に一体化させた背面バック及びバック底用クッションが図５のように人体前面に来るように１８０度回転させ装着させる。
【００１３】
請求項１及び２のライフジャケット（救命胴衣）を着用し水中に浸かった場合、その浮力が働き、体からライフジャケットが上面に離れようとするので、背面クッション部６の下部に取り付けた股下用連結ベルト１３を股下に通し、前面に回した背面バック２の下部にその一辺を固定する。
【００１４】
【発明の効果】
本発明は以上説明したように構成されているので、以下に記載されるような効果を奏する。
【００１５】
通常持ち歩くリュックサックがライフジャケット（救命胴衣）となりえることにより、無意識のうちにライフジャケットを（救命胴衣）を携帯できる。常に身の回りに保持できる事で、非常時に探すことなく利用できる。
【００１６】
本発明は最近のリュックサックに多く使用されるクッション材に、その特性を活かした浮力材を代用するので、かなりの浮力が確保されている。よって不足分を補う背面バック等に使用する浮力は少なくて済む。
【００１７】
前記のようにリュックサックのクッション材を浮力として利用でき、かつもともと、リュックサック自体が体に装着しやすい形態であるので、ライフジャケットを別に購入するより、安価で製作でき、利用者にとって購入しやすい。
【００１８】
請求項１の背面バック内蔵の浮袋は、通常のリュックサックとしての利用時には、背面バックの内側であるリュックサックバック本体側に収納されており、外部から保護されている状態にある。
【００１９】
請求項２のリュックサックの背面バックおよび、バック底用クッションは、キャンプや冬のスポーツ観戦などで、リュックサックから取外し、座布団、枕等に使用できるため、特別に浮力材を携帯しているという意識無く利用できる。
【図面の簡単な説明】
【図１】請求項１のリュックサックをライフジャッケットとしての装着側視図である。
【図２】請求項２のリュックサックをライフジャッケットとしての装着側視図である。
【図３】請求項１叉は２のリュックサックをライフジャッケットとして装着した背後図である。
【図４】請求項１のリュックサックをライフジャッケットとして装着た正面図である。
【図５】請求項２のリュックサックをライフジャッケットとして装着た正面図である。
【図６】請求項１のリュックサックからライフジャケットへの分離状況図である。
【図７】請求項２のリュックサックからライフジャケットへの分離状況図である。
【図８】請求項２のリュックサックの断面図である。
【図９】請求項１のリュックサックの断面図である。
【図１０】請求項１のリュックサックの背面バックの浮袋収納図である。
【図１１】請求項１のリュックサック内蔵浮袋の姿図である。
【図１２】請求項２のリュックサックの背面バック及びバック底用クッションをライフジャケット使用時に一体にまとめた側視図である。
【符号の説明】
Ａ　　　リュックサック
１　　　バック本体
２　　　背面バック
３　　　肩ベルト
４　　　ファスナー
５　　　浮力材
６　　　背面クッション
７　　　浮袋
８　　　ＣＯ２ボンベ
９　　　ガス注入装置
１０　　ガス注入用紐
１１　　マジックテープ
１２　　バック取付けベルト
１３　　股下用連結ベルト
１４　　連結ベルト
１５　　バック底用クッション
１６　　浮袋固定用穴金物
１７　　浮袋接合部
【図１】
2004041392.tif 000003
【図２】
2004041392.tif 000004
【図３】
2004041392.tif 000005
【図４】
2004041392.tif 000006
【図５】
2004041392.tif 000007
【図６】
2004041392.tif 000008
【図７】
2004041392.tif 000009
【図８】
2004041392.tif 000010
【図９】
2004041392.tif 000011
【図１０】
2004041392.tif 000012
【図１１】
2004041392.tif 000013
【図１２】
2004041392.tif 000014